(57)【要約】【課題】施工中に高波浪が来襲しても、安定性を確保しつつ、捨石の流失を抑制することができる捨石構造物を提供することを目的とする。【解決手段】捨石護岸または捨石堤の延設方向に沿って備えられる、多数の捨石を積層してなる捨石構造物１は、その内部に鉛直方向に延びる壁部２ａ〜２ｊを捨石構造物１の延設方向に沿って配置して構成される。この壁部２ａ〜２ｊは、水の通過は許容しつつ捨石の通過は規制するので、捨石構造物１の施工中に高波浪が来襲しても、捨石構造物１の安定性を確保しつつ、捨石の流失を抑制することができる。【選択図】図３
2018131891.tif 000002
【特許請求の範囲】
【請求項１】
捨石護岸または捨石堤の延設方向に沿って備えられる、多数の捨石を積層してなる捨石構造物であって、
該捨石構造物は、その内部に鉛直方向に延びる壁部を該捨石構造物の延設方向に沿って配置して構成され、
前記壁部は、水の通過は許容しつつ捨石の通過は規制するように構成されていることを特徴とする捨石構造物。
【請求項２】
前記壁部は、網体で構成されることを特徴とする請求項１に記載の捨石構造物。
【請求項３】
前記壁部には、該壁部の傾倒を抑制する支持部が設けられることを特徴とする請求項１または２に記載の捨石構造物。
【請求項４】
前記壁部は、捨石を中詰した網状の袋体を複数積層して構成されることを特徴とする請求項１に記載の捨石構造物。
【請求項５】
捨石護岸または捨石堤の延設方向に沿って備えられる、多数の捨石を積層してなる捨石構造物の築造方法であって、
水の通過は許容しつつ捨石の通過は規制する網体の上部にフロートを接続すると共に、前記網体の下部に重量物を接続する準備ステップと、
次に、前記重量物を所定水域の底面に設置すると共に前記フロートを海面に浮かせることで、前記網体を鉛直方向に沿って延在させつつ、前記捨石構造物の延設方向に沿って延在させてその姿勢を保持する保持ステップと、
次に、前記網体の周りに捨石を積層して前記捨石構造物を築造する築造ステップと、
を含むことを特徴とする捨石構造物の築造方法。
【請求項６】
捨石護岸または捨石堤の延設方向に沿って備えられる、捨石を積層してなる捨石構造物の築造方法であって、
捨石を中詰した網状の袋体を、鉛直方向に複数積層すると共に前記捨石構造物の延設方向に沿って複数配置する袋体設置ステップと、
次に、前記各袋体の周りに捨石を積層する捨石積層ステップと、
を含み、
前記袋体設置ステップと前記捨石積層ステップとを繰り返し実施して、前記捨石構造物を築造することを特徴とする捨石構造物の築造方法。
【請求項７】
前記捨石積層ステップでは、前記捨石構造物の完成断面形状の内側で、前記袋体の周りに捨石を積層するようにして、当該捨石積層ステップを繰り返すことで、前記捨石構造物の完成断面形状に徐々に近づくようにすることを請求項６に記載の捨石構造物の築造方法。
【請求項８】
捨石護岸または捨石堤の延設方向に沿って備えられる、多数の捨石を積層してなる捨石構造物の築造方法であって、
水の通過は許容しつつ捨石の通過は規制する壁部と、該壁部に設けられ、該壁部の傾倒を抑制すべく支持部と、を用意する準備ステップと、
前記支持部を所定水域の底面に設置することで前記壁部を自立させる設置ステップと、
次に、前記壁部の周りに捨石を積層して前記捨石構造物を築造する築造ステップと、
を含むことを特徴とする捨石構造物の築造方法。
【発明の詳細な説明】
【技術分野】
【０００１】
本発明は、捨石護岸または捨石堤に備えられた、捨石を積層してなる捨石構造物及びその築造方法に関するものである。
【背景技術】
【０００２】
海域あるいは水域に建設される埋立地（人工島）の外郭をなす護岸は、その構造形式から捨石式、セル式、矢板式、ケーソン式などの重量式があり、施工条件に応じて選択し、組み合わせて施工される。また、港湾や漁港などに建設される防波堤にも、捨石式の傾斜堤に代表される捨石堤、ケーソン式の直立堤、捨石マウンド上にケーソンが立設される混成堤などがあり、種々の条件に応じてその構造が選択される。
【０００３】
そこで、図１に示すように、捨石式の護岸（以下、捨石護岸と称す）１００は、概略、所定水域の底面上に、砂を敷設してなる敷砂層１０１が設けられ、該敷砂層１０１上に砂を盛ってなる盛砂層１０２が設けられる。また、該盛砂層１０２上に多数の捨石（例えば、重量１０〜２００ｋｇ／個）を投入して積層してなる断面略台形状の捨石構造物１０３が上下方向に沿って２段設けられ、上側の捨石構造物１０３の沖側法面に、多数の被覆石（例えば、重量４００〜６００ｋｇ／個）が当該法面を覆うように配置される被覆石部位１０４が設けられる。さらに、当該被覆石部位１０４の沖側法面には、多数の消波ブロックが当該部位１０４を覆うように配置される消波ブロック部位１０５が設けられ、下側の捨石構造物１０３の岸側法面から岸側には向かって盛砂層１０２が設けられ、上側の捨石構造物１０３の上端面に上部ブロック（上部コンクリートの打設含む）１０６が配置されて、捨石護岸１００が築造される。そして、捨石護岸１００の内側には土砂が投入、積層されて陸地が造成される。
【０００４】
また、図２に示すように、捨石堤２００は、概略、所定水域の底面上に多数の捨石を投入して積層してなる断面略台形状の捨石構造物１０３が設けられ、捨石構造物１０３の沖側法面及び岸側法面から底面に至る範囲に、多数の被覆石が当該範囲を覆うように配置される被覆石部位１０４が設けられる。また、当該各被覆石部位１０４上には、多数の消波ブロックが当該部位１０４を覆うように配置される消波ブロック部位１０５が設けられ、捨石構造物１０３の上端面にコンクリートが打設される上部コンクリート打設部位１０７が設けられて、捨石堤２００が築造される。
【０００５】
しかしながら、上述したような、完成した捨石護岸１００または捨石堤２００においては、所要の設計波に対してその安定性が確保されているのに対して、被覆石（被覆石部位１０４）や消波ブロック（消波ブロック部位１０５）が設置される前段階における捨石構造物１０３の施工中に、高波浪が来襲すると、捨石は重量が小さいために波力により飛散してしまい、捨石の散乱により捨石構造物１０３の断面形状が変形するといった被災が発生してしまう。
【０００６】
このような被災を防ぎ、施工中における捨石構造物１０３の安定性を確保するために、従来においては、台風等の接近が予測された場合には、通常の捨石より重量の大きな石材例えば被覆石、あるいは網状の袋材に捨石を詰めたものを暫定的に施工中の捨石構造物１０３の表面を被覆する対策を講じるか、あるいはワイヤーまたはチェーン製の網体（ネット）で施工中の捨石構造物１０３の表面を覆うなどの対策が取られてきたが、いずれもその効果は限定的であった。
【０００７】
そこで、特許文献１には、方形体状の鋼製籠内に所要塊の捨石を充填して法止用捨石籠体を形成せしめ、該捨石籠体を順次海底原地盤上に所要の法面勾配をもって積重せしめつつ、該積重捨石籠体の背後に順次捨石材を投入充填せしめて法面堤体状に構築せしめる護岸用捨石堤の構築方法が開示されている。
【先行技術文献】
【特許文献】
【０００８】
【特許文献１】特開平１１−２４７１５４号公報
【発明の概要】
【発明が解決しようとする課題】
【０００９】
しかしながら、特許文献１に記載の護岸用捨石堤の構築方法においても、施工中に、高波浪が来襲すると、捨石籠体の背後に積層された捨石材が飛散して、捨石籠体を超えるようにして流失してしまい、上述した問題を解決することはできない。
【００１０】
本発明は、かかる点に鑑みてなされたものであり、施工中に高波浪が来襲しても、安定性を確保しつつ、捨石の流失を抑制することができる捨石構造物及びその築造方法を提供することを目的とする。
【課題を解決するための手段】
【００１１】
本発明は、上記課題を解決するための手段として、請求項１に記載した捨石構造物の発明は、捨石護岸または捨石堤の延設方向に沿って備えられる、多数の捨石を積層してなる捨石構造物であって、該捨石構造物は、その内部に鉛直方向に延びる壁部を該捨石構造物の延設方向に沿って配置して構成され、前記壁部は、水の通過は許容しつつ捨石の通過は規制するように構成されていることを特徴とするものである。
請求項１の発明では、捨石構造物の施工中に高波浪が来襲しても、壁部により、当該壁部を介して沖側の捨石が岸側に移動するのを抑制することができ、施工中の捨石構造物の断面形状の変形を抑制することができる。また、壁部は水の通過は許容するので、壁部を立設する際、波浪による壁部の大きな移動を抑制することができる。
【００１２】
請求項２に記載した捨石構造物の発明は、請求項１に記載した発明において、前記壁部は、網体で構成されることを特徴とするものである。
請求項２の発明では、壁部の取り扱いが容易となり、作業性が良好となる。
【００１３】
請求項３に記載した捨石構造物の発明は、請求項１または２に記載した発明において、前記壁部には、該壁部の傾倒を抑制する支持部が設けられることを特徴とするものである。
請求項３の発明では、施工時、壁部を容易に自立させることができ、作業性が向上する。
【００１４】
請求項４に記載した捨石構造物の発明は、請求項１に記載した発明において、前記壁部は、捨石を中詰した網状の袋体を複数積層して構成されることを特徴とするものである。
請求項４の発明では、施工時、壁部の安定性が向上する。
【００１５】
請求項５に記載した捨石構造物の築造方法に係る発明は、捨石護岸または捨石堤の延設方向に沿って備えられる、多数の捨石を積層してなる捨石構造物の築造方法であって、水の通過は許容しつつ捨石の通過は規制する網体の上部にフロートを接続すると共に、前記網体の下部に重量物を接続する準備ステップと、次に、前記重量物を所定水域の底面に設置すると共に前記フロートを海面に浮かせることで、前記網体を鉛直方向に沿って延在させつつ、前記捨石構造物の延設方向に沿って延在させてその姿勢を保持する保持ステップと、次に、前記網体の周りに捨石を積層して前記捨石構造物を築造する築造ステップと、
を含むことを特徴とするものである。
請求項５の発明では、特に、保持ステップにより、網体を容易に鉛直方向に沿って自立させて、その姿勢を保持することができるので、施工中の捨石構造物の安定性を確保しつつ、作業性が向上する。
【００１６】
請求項６に記載した捨石構造物の築造方法に係る発明は、捨石護岸または捨石堤の延設方向に沿って備えられる、捨石を積層してなる捨石構造物の築造方法であって、捨石を中詰した網状の袋体を、鉛直方向に複数積層すると共に前記捨石構造物の延設方向に沿って複数配置する袋体設置ステップと、次に、前記各袋体の周りに捨石を積層する捨石積層ステップと、を含み、前記袋体設置ステップと前記捨石積層ステップとを繰り返し実施して、前記捨石構造物を築造することを特徴とするものである。
請求項６の発明では、捨石を中詰した網状の袋体を積層しながら、各袋体の周り捨石を積層することができるので、施工中、壁部の姿勢を安定させつつ、捨石構造物の安定性を確保することができる。
【００１７】
請求項７に記載した捨石構造物の築造方法に係る発明は、請求項６に記載した発明において、前記捨石積層ステップでは、前記捨石構造物の完成断面形状の内側で、前記袋体の周りに捨石を積層するようにして、当該捨石積層ステップを繰り返すことで、前記捨石構造物の完成断面形状に徐々に近づくようにすることを特徴とするものである。
請求項７の発明では、施工中、高波浪を受けて、積層した捨石による捨石構造物の断面形状が変形したとしても、捨石構造物の完成断面形状より外方への捨石の流出を極力抑えることができ、復旧作業の軽減、材料の損失等、工事上の不利益を抑止することが可能となる。
【００１８】
請求項８に記載した捨石構造物の築造方法に係る発明は、捨石護岸または捨石堤の延設方向に沿って備えられる、多数の捨石を積層してなる捨石構造物の築造方法であって、水の通過は許容しつつ捨石の通過は規制する壁部と、該壁部に設けられ、該壁部の傾倒を抑制すべく支持部と、を用意する準備ステップと、前記支持部を所定水域の底面に設置することで前記壁部を自立させる設置ステップと、次に、前記壁部の周りに捨石を積層して前記捨石構造物を築造する築造ステップと、を含むことを特徴とするものである。
請求項８の発明では、支持部により壁部を容易に自立させて安定させることができ、壁部の周りに捨石を積層することで、施工中の捨石構造物の安定性を確保しつつ、作業性が向上する。
【発明の効果】
【００１９】
本発明に係る捨石構造物では、壁部を備えているので、捨石構造物の施工中に高波浪が来襲しても、捨石構造物の安定性を確保しつつ、捨石の流失を抑制することができる。
また、本発明に係る捨石構造物の築造方法では、施工中の捨石構造物の安定性を確保しつつ、捨石構造物の作業性が良好となる。
【図面の簡単な説明】
【００２０】
【図１】図１は、本発明の実施形態に係る捨石構造物が採用される捨石護岸の概略断面図である。
【図２】図２は、本発明の実施形態に係る捨石構造物が採用される捨石堤の概略断面図である。
【図３】図３は、本発明の実施形態に係る捨石構造物の断面図である。
【図４】図４は、第１の実施形態に係る壁部として採用される網体の斜視図である。
【図５】図５は、第１の実施形態に係る壁部を採用して、捨石構造物を築造する方法を段階的に示す図である。
【図６】図６は、第２及び第３の実施形態に係る壁部として採用される、捨石を中詰したふとんかごの斜視図である。
【図７】図７は、第２の実施形態に係る壁部を採用して、捨石構造物を築造する方法を段階的に示す図である。
【図８】図８は、第３の実施形態に係る壁部を採用して、捨石構造物を築造する方法を段階的に示す図である。
【図９】図９は、第４の実施形態に係る壁部の斜視図である。
【図１０】図１０は、第４の実施形態に係る壁部を採用して、捨石構造物を築造する方法を段階的に示す図である。
【図１１】図１１は、第５の実施形態に係る壁部を採用して、捨石構造物を築造する方法を段階的に示す図である。
【図１２】図１２は、第６の実施形態に係る壁部を採用して、捨石構造物を築造する方法を段階的に示す図である。
【図１３】図１３は、第７の実施形態に係る壁部を採用して、捨石構造物を築造する方法を段階的に示す図である。
【図１４】図１４は、第８の実施形態に係る壁部を採用して、捨石構造物を築造する方法を段階的に示す図である。
【図１５】図１５は、第９の実施形態に係る壁部を採用して、捨石構造物を築造する方法を段階的に示す図である。
【図１６】図１６は、第１０の実施形態に係る壁部を採用して、捨石構造物を築造する方法を段階的に示す図である。
【図１７】図１７は、捨石構造物が交差してなる隅角部を示す斜視図である。
【発明を実施するための形態】
【００２１】
以下、本発明を実施するための形態を図１〜図１７に基づいて詳細に説明する。
本発明の実施の形態に係る捨石構造物１は、図１〜図３に示すように、捨石護岸１００または捨石堤２００に適用されている。本実施形態では、捨石護岸１００に採用された捨石構造物１を説明する。捨石構造物１は、所定水域に捨石を投入して積層することで、断面略台形状で捨石護岸１００の延設方向に沿って築造される。なお、捨石構造物１には、粒径２００〜６００ｍｍ／個程度であり、重量１０〜２００ｋｇ／個程度の捨石が採用される。図３から解るように、捨石構造物１の内部に、鉛直方向に延びる壁部２ａ〜２ｊが捨石構造物１の延設方向に沿って配置されている。壁部２ａ〜２ｊは、水の通過は許容するものの捨石の通過は規制するもので構成される。
【００２２】
まず、第１の実施形態に係る壁部２ａを図３及び図４に基づいて説明する。第１の実施形態に係る壁部２ａは、捨石構造物１内で、その延設方向に対する直交方向（以下、岸沖方向という）略中央部位に鉛直方向に延び、且つ捨石構造物１の延設方向に沿って配置されている。図４に示すように、第１の実施形態に係る壁部２ａは、網体５（ネット）で構成される。該網体５は可撓性を有するものである。網体５に設けられた多数の開口６は捨石の粒径よりも小さく形成される。例えば、捨石構造物１に採用される捨石が粒径２００〜６００ｍｍ／個の場合は、網体５の各開口６の内径を２００ｍｍ以下に設定する。なお、網体５は、金属、化学繊維や合成樹脂等で形成されており、所望の強度を有していれば、その材質について限定されることはない。
【００２３】
次に、上述した第１の実施形態に係る壁部２ａを採用した捨石構造物１の築造方法を、図５に基づいて説明する。
まず、準備ステップを実施する。当該準備ステップでは、略矩形状の網体５の下端に重量物であるアンカー８を固定する。アンカー８にはＨ型鋼等が使用される。一方、網体５の上端に主フロート９を接続する。詳しくは、網体５により主フロート９全体を包み込むようにして、網体５の上端に主フロート９を接続する。この主フロート９は、浮力により網体５を鉛直方向に安定させるためのものである。この主フロート９には、合成樹脂や合成ゴム等が使用される。
【００２４】
次に、初期捨石積層ステップを実施する。図５（ａ）に示すように、当該初期捨石積層ステップでは、所定水域の底面に、高波浪が来襲しても、捨石が散乱せずその断面が変形しないレベルまで、捨石を投入して積層してなる初期積層部位７を捨石構造物１の延設方向に沿って築造する。なお、初期捨石積層ステップでは、捨石構造物１の完成断面形状（２点鎖線で示す）に係る沖側法面及び岸側法面に一致するように捨石を積層する。この初期捨石積層ステップは必要に応じて実施される。
次に、保持ステップを実施する。図５（ａ）を参照して、当該保持ステップでは、初期捨石積層ステップにて構築した捨石を積層してなる初期捨石積層部位７上にアンカー８を設置すると共に、主フロート９により網体５の上端を海面に浮かべて網体５が鉛直方向に延設されるようにして、その姿勢を保持する。なお、網体５を安定して保持するために、詳しくは、網体５の下部のたるみを抑制するために、必要に応じて、網体５の上下方向の適宜位置に中間フロート１０を接続する。
【００２５】
次に、図５（ｂ）、（ｃ）に示すように、築造ステップを実施する。当該築造ステップでは、網体５の周りに、捨石を断面略台形状を呈するように投入して、主フロート９全体が埋設される手前まで積層して捨石構造物１を築造する。当該築造ステップでは、図５（ｂ）に示すように、捨石を投入して積層する際、捨石構造物１の完成断面形状に係る沖側法面及び岸側法面に一致させつつ、完成断面形状の天端面に徐々に近づくように実施される。このとき、網体５は、岸沖方向略中央部位に位置するが、網体５は鉛直方向に直線状に延びる必要はない。
次に、図５（ｃ）を参照して、捨石構造物１の上端面からは、網体５により包み込まれた主フロート９の上端部が突出した状態となっており、主フロート９を包み込む網体５の頂部を切り裂くようにして、主フロート９だけを撤去し、その部位に捨石を積層して捨石構造物１を完成させる。その後、捨石護岸１００を築造する際の通常工程に進む。なお、アンカー８、網体５及び中間フロート１０は埋めたままの状態となる。
【００２６】
以上説明したように、第１の実施形態に係る壁部２ａを採用した捨石構造物１では、当該捨石構造物１の内部には、鉛直方向に延びる壁部２ａが捨石構造物１の延設方向に沿って配置されている。この壁部２ａは、水の通過は許容するものの捨石の通過は規制するもので構成される。これにより、捨石構造物１の施工中に高波浪が来襲しても、壁部２ａにより沖側の捨石が岸側に移動するのを抑制することができ、施工中の捨石構造物１の断面形状の変形を抑制することができる。
また、第１の実施形態に係る壁部２ａを採用した捨石構造物１の築造方法では、保持ステップにおいて主フロート９及びアンカー８を採用することで、壁部２ａとしての網体５を容易に鉛直方向に沿って自立させて、その姿勢を保持することができるので、施工中の捨石構造物１の安定性を確保しつつ、作業性が向上する。
【００２７】
次に、第２の実施形態に係る壁部２ｂを図６及び図７に基づいて説明する。第２の実施形態に係る壁部２ｂは、捨石構造物１内の岸沖方向略中央部位に鉛直方向に延び、且つ捨石構造物１の延設方向に沿って配置されている。第２の実施形態に係る壁部２ｂは、捨石を中詰した、いわゆるふとんかご１５を鉛直方向に沿って複数段積層すると共に捨石構造物１の延設方向に沿って互いに接触するようにして複数配置して構成されている。捨石を中詰した複数のふとんかご１５は体積が略同じに形成されている。ふとんかご１５は、金属、化学繊維や合成樹脂等で形成されており、所望の強度を有していれば、その材質について限定されることはない。なお、以下に言及するふとんかご１５は、捨石を中詰したふとんかご１５のことを意味する。
【００２８】
次に、上述した第２の実施形態に係る壁部２ｂを採用した捨石構造物１の築造方法を図７に基づいて説明する。
まず、初期捨石積層ステップを実施する。当該初期捨石積層ステップは、上述した第１の実施形態に係る壁部２ａを採用した捨石構造物１の築造方法における初期捨石積層ステップと同様であるので、ここでの説明を省略する。
次に、かご設置ステップを実施する。かご設置ステップの前段階にて、複数のふとんかご１５が用意される。そして、図７（ａ）に示すように、当該かご設置ステップでは、ふとんかご１５を、初期捨石積層部位７上の岸沖方向略中央部位に鉛直方向に沿って複数段積層すると共に捨石構造物１の延設方向に沿って複数配置する。本実施形態では、図７に示すように、鉛直方向に沿って２段または３段積層される。なお、かご設置ステップでは、鉛直方向に沿って隣接するふとんかご１５、１５同士、及び捨石構造物１の延設方向に沿って隣接するふとんかご１５、１５同士を連結することも可能である。これにより、施工時、壁部２ｂの姿勢を安定させることができる。
【００２９】
次に、図７（ｂ）に示すように、捨石積層ステップを実施する。当該捨石積層ステップでは、積層されたふとんかご１５の周りに、積層された最も上位のふとんかご１５または上から２段目のふとんかご１５の上端付近まで捨石を積層する。
次に、かご設置ステップと捨石積層ステップとを繰り返し実施することで、最終的に捨石構造物１を築造する。その後、捨石護岸１００を築造する際の通常工程に進む。各ふとんかご１５は埋めたままの状態となる。なお、捨石積層ステップでは、図７（ｂ）に示すように、捨石を投入して積層する際、捨石構造物１の完成断面形状に係る沖側法面及び岸側法面に一致させて、その完成断面形状の天端面に徐々に近づくように繰り返し実施される。
【００３０】
以上説明した、第２の実施形態に係る壁部２ｂを採用した捨石構造物１についても、第１の実施形態に係る壁部２ａを採用した捨石構造物１と同様の作用効果を奏することができる。
また、第２の実施形態に係る壁部２ｂを採用した捨石構造物１の築造方法では、かご設置ステップと捨石積層ステップとを繰り返し実施するので、壁部２ｂの姿勢を安定させることができ、ひいては、捨石構造物１の安定性を確保することができる。
【００３１】
次に、第３の実施形態に係る壁部２ｃを図８に基づいて説明する。第３の実施形態に係る壁部２ｃは、捨石構造物１内の岸沖方向略中央部位に鉛直方向に延び、且つ捨石構造物１の延設方向に沿って配置されている。第３の実施形態に係る壁部２ｃは、第２の実施形態に係る壁部２ｂで採用したふとんかご１５を鉛直方向に沿って複数段積層すると共に岸沖方向に沿って互いに接触するように複数列配置して、且つ捨石構造物１の延設方向に沿って互いに接触するように複数配置して構成される。また、第３の実施形態に係る壁部２ｃでは、岸側のふとんかご１５の上端面と、沖側のふとんかご１５の上端面とは同一平面上に配置されず、岸側のふとんかご１５と、沖側のふとんかご１５とは、鉛直方向に沿って互いにずれるようにして配置される。
【００３２】
次に、上述した第３の実施形態に係る壁部２ｃを採用した捨石構造物１の築造方法を、図８に基づいて説明する。
まず、初期捨石積層ステップを実施する。当該初期捨石積層ステップは、上述した第１の実施形態に係る壁部２ａを採用した捨石構造物１の築造方法における初期捨石積層ステップと同様であるので、ここでの説明を省略する。
次に、第１かご設置ステップを実施する。第１かご設置ステップの前段階にてふとんかご１５が用意される。そして、図８（ａ）に示すように、当該第１かご設置ステップでは、ふとんかご１５を初期捨石積層部位７上の岸沖方向略中央部位に捨石構造物１の延設方向に沿って互いに接触するように複数配置する。
【００３３】
次に、部分捨石積層ステップを実施する。当該部分捨石積層ステップでは、第１かご設置ステップにより複数配置されたふとんかご１５の背面側（岸側）に、ふとんかご１５の底面により大きい範囲に、且つふとんかご１５の厚みの半分程度の高さになるまで捨石を捨石構造物１の延設方向に沿って積層する。図８では部分捨石積層部位１６にて示される。
次に、第２かご設置ステップを実施する。当該第２かご設置ステップでは、ふとんかご１５を部分捨石積層部位１６上に沖側のふとんかご１５と接触するように捨石構造物１の延設方向に沿って互いに接触するように複数配置する。この時、第２かご設置ステップにて設置した、岸側のふとんかご１５の上端面の高さが、第１かご設置ステップにて設置した、沖側のふとんかご１５の上端面よりも高くなる。
次に、第３かご設置ステップを実施する。当該第３かご設置ステップでは、第１かご設置ステップにて設置した、沖側のふとんかご１５上にふとんかご１５を積層する。
【００３４】
次に、捨石積層ステップを実施する。図８（ｂ）に示すように、当該捨石積層ステップでは、沖側の鉛直方向１段目ふとんかご１５の上端面に一致するまで全体的に捨石を積層する。
次に、第４かご設置ステップを実施する。当該第４かご設置ステップでは、第２かご設置ステップにて設置した、岸側のふとんかご１５上にふとんかご１５を積層する。
次に、図８（ｃ）に示すように、第３かご設置ステップ、捨石積層ステップ及び第４かご設置ステップをこの順序で繰り返し実施して、最終的に捨石構造物１を築造する。その後、捨石護岸１００を築造する際の通常工程に進む。各ふとんかご１５は埋めたままの状態となる。なお、捨石積層ステップでは、図８（ｂ）及び（ｃ）に示すように、捨石を投入して積層する際、捨石構造物１の完成断面形状に係る沖側法面及び岸側法面に一致させて、その完成断面形状の天端面に徐々に近づくように繰り返し実施される。
【００３５】
この結果、第１及び第３かご設置ステップにより沖側に積層された各ふとんかご１５と、第２及び第４かご設置ステップにより岸側に積層された各ふとんかご１５とは、鉛直方向に沿って互いにずれるようにして積層されることなり、岸側に積層された各ふとんかご１５によって、沖側に積層された各ふとんかご１５が、施工中に波力により岸側に移動するのを抑制することができ、施工中の壁部２ｃの安定性をさらに向上させることができる。
【００３６】
以上説明した、第３の実施形態に係る壁部２ｃを採用した捨石構造物１についても、第１の実施形態に係る壁部２ａを採用した捨石構造物１と同様の作用効果を奏することができる。
また、第３の実施形態に係る壁部２ｃを採用した捨石構造物１の築造方法では、施工中、特に、波浪に対して壁部２ｂの姿勢をさらに安定させることができ、ひいては、捨石構造物１の安定性を確保することができる。
【００３７】
次に、第４の実施形態に係る壁部２ｄを図９に基づいて説明する。第４の実施形態に係る壁部２ｄは、捨石構造物１内の岸沖方向略中央部位に鉛直方向に延び、且つ捨石構造物１の延設方向に沿って配置されている。第４の実施形態に係る壁部２ｄは、当該壁部２ｄの傾倒を抑制する支持部２０を備えている。壁部２ｄは、Ｈ鋼等により略矩形状の枠体２３を形成して、該枠体２３内に網体２４を固定して構成される。網体２４に設けられた多数の開口２５は捨石の粒径よりも小さく形成される。例えば捨石構造物１に採用される捨石が粒径２００〜６００ｍｍ／個の場合には、網体２４の各開口２５の内径は２００ｍｍ以下に設定される。支持部２０は、Ｈ鋼等により略矩形状の枠体２６を形成して、該枠体２６内に網体２７を固定して構成される。そして、支持部２０を壁部２ｄ（枠体２３）の下端に、該支持部２０が沖側及び岸側に延在して、設置時所定水域の底面にそれぞれ接触するように接続する。なお、支持部２０が沖側または岸側のいずれか一方に延在するようにしてもよい。また、壁部２ｄの枠体２３及び支持部２０の枠体２６を、コンクリート製で形成してもよい。
【００３８】
次に、上述した第４の実施形態に係る、支持部２０を有する壁部２ｄを採用した捨石構造物１の築造方法を図１０に基づいて説明する。
まず、準備ステップとして、予め、上述したような、図９に示す支持部２０を有する壁部２ｄが用意される。
次に、初期捨石積層ステップを実施する。当該初期捨石積層ステップは、上述した第１の実施形態に係る壁部２ａを採用した捨石構造物１の築造方法における初期捨石積層ステップと同様であるので、ここでの説明を省略する。
次に、図１０（ａ）に示すように、設置ステップを実施する。当該設置ステップでは、支持部２０を初期捨石積層部位７上に設置する。この結果、壁部２ｄは鉛直方向に自立するようになる。
【００３９】
次に、図１０（ｂ）に示すように、築造ステップを実施する。当該築造ステップでは、壁部２ｄの周りに、捨石を断面略台形状を呈するように投入して積層して捨石構造物１を築造する。当該築造ステップでは、図１０（ｂ）に示すように、捨石を投入して積層する際、捨石構造物１の完成断面形状に係る沖側法面及び岸側法面に一致させつつ、完成断面形状の天端面に徐々に近づくように実施される。
次に、捨石護岸１００を築造する際の通常工程に進む。なお、壁部２ｄの上端は、捨石構造物１の上端面とその高さを一致させており、壁部２ｄ及び支持部２０は埋めたままの状態となる。
【００４０】
以上説明した、第４の実施形態に係る壁部２ｄを採用した捨石構造物１についても、第１の実施形態に係る壁部２ａを採用した捨石構造物１と同様の作用効果を奏することができる。
また、第４の実施形態に係る壁部２ｄを採用した捨石構造物１の築造方法では、支持部２０により壁部２ｄを容易に鉛直方向に沿って自立させて安定させることができるので、施工中の捨石構造物１の安定性を確保しつつ、作業性が向上する。
【００４１】
次に、第５の実施形態に係る壁部２ｅを図１１に基づいて説明する。第５の実施形態に係る壁部２ｅは、捨石構造物１内の岸沖方向略中央部位に鉛直方向に延び、且つ捨石構造物１の延設方向に沿って配置されている。第５の実施形態に係る壁部２ｅは、第２の実施形態に係る壁部２ｂで採用したふとんかご１５を鉛直方向に沿って複数段積層すると共に岸沖方向に沿って互いに接触するように複数列配置して、且つ捨石構造物１の延設方向に沿って互いに接触するように複数配置して構成される。また、第５の実施形態に係る壁部２ｅでは、岸側のふとんかご１５の上端面と、沖側のふとんかご１５の上端面とが略同一平面上に位置する。なお、第５の実施形態に係る壁部２ｅでは、最も上部に位置するふとんかご１５は、その直下の、岸側のふとんかご１５と沖側のふとんかご１５とに跨るように配置されて構成される。
【００４２】
次に、上述した第５の実施形態に係る壁部２ｅを採用した捨石構造物１の築造方法を、図１１に基づいて説明する。
まず、初期捨石積層ステップを実施する。図１１（ａ）に示すように、当該初期捨石積層ステップでは、所定水域の底面に、高波浪が来襲しても、捨石が散乱せずその断面が変形しないレベルまで、捨石を投入して積層してなる初期積層部位７を捨石構造物１の延設方向に沿って築造する。なお、初期積層部位７の沖側法面及び岸側法面は、捨石構造物１の完成断面形状に係る沖側法面及び岸側法面と一致せず、初期積層部位７は、捨石構造物１の内部で、その沖側法面及び岸側法面が、捨石構造物１の完成断面形状に係る沖側法面及び岸側法面に略平行となるように築造される。この初期積層部位７の天端面は、次の第１かご設置ステップにおいて、ふとんかご１５を安定して配置することができる幅を有する。
次に、第１かご設置ステップを実施する。当該第１かご設置ステップの前段階にて、複数のふとんかご１５が用意される。そして、図１１（ｂ）に示すように、当該第１かご設置ステップでは、ふとんかご１５を初期捨石積層部位７上で、沖側に鉛直方向に沿って２段積層すると共に岸側に１段互いに接触するように配置して、且つ捨石構造物１の延設方向に沿って互いに接触するように配置する。
【００４３】
次に、捨石積層ステップを実施する。図１１（ｃ）に示すように、当該捨石積層ステップでは、岸側のふとんかご１５の上端付近まで全ふとんかご１５の周りに捨石を積層する。このとき、捨石積層部位１２の沖側法面及び岸側法面は、捨石構造物１の完成断面形状に係る沖側法面及び岸側法面に一致せず、初期積層部位７の沖側法面及び岸側法面と略平行に築造される。
次に、第２かご設置ステップを実施する。図１１（ｄ）に示すように、当該第２かご設置ステップでは、ふとんかご１５を、沖側及び岸側のふとんかご１５上にそれぞれ載置する。
次に、捨石積層ステップと第２かご設置ステップとを繰り返し実施することで、図１１（ｅ）に示すように、最終的に捨石構造物１を築造する。なお、最後の第２かご設置ステップでは、ふとんかご１５が、沖側及び岸側のふとんかご１５上にそれらを跨るように配置される。また、捨石積層ステップを繰り返すことで、捨石構造物１の完成断面形状に係る、天端面、沖側法面及び岸側法面に徐々に近づくように、各ふとんかご１５の周りに捨石を積層して、最後の捨石積層ステップにて、捨石構造物１の完成断面形状に係る、天端面、沖側法面及び岸側法面に一致するように捨石を積層する。
【００４４】
次に、第６の実施形態に係る壁部２ｆを図１２に基づいて説明する。第６の実施形態に係る壁部２ｆは、捨石構造物１内の沖側法面に沿って、且つ捨石構造物１の延設方向に沿って配置されている。第６の実施形態に係る壁部２ｆは、第２の実施形態に係る壁部２ｂで採用したふとんかご１５を鉛直方向に沿って複数段積層すると共に岸沖方向に沿って複数列配置して、且つ捨石構造物１の延設方向に沿って複数配置して構成されている。また、第６の実施形態に係る壁部２ｆでは、岸側のふとんかご１５の上端面と、沖側のふとんかご１５の上端面とが略同一平面上に位置する。なお、第６の実施形態に係る壁部２ｆでは、最も上部に位置するふとんかご１５が、岸沖方向に沿って１列に配置されて構成されている。
【００４５】
次に、上述した第６の実施形態に係る壁部２ｆを採用した捨石構造物１の築造方法を、図１２に基づいて説明する。
まず、初期捨石積層ステップを実施する。図１２（ａ）に示すように、当該初期捨石積層ステップでは、所定水域の底面に、高波浪が来襲しても、捨石が散乱せずその断面が変形しないレベルまで、捨石を投入して積層してなる初期積層部位７を捨石構造物１の延設方向に沿って築造する。なお、初期積層部位７の沖側法面が、捨石構造物１の完成断面形状に係る沖側法面に一致しており、初期積層部位７の岸側法面が、捨石構造物１の完成断面形状に係る岸側法面に略平行となるように築造される。
次に、第１かご設置ステップを実施する。当該第１かご設置ステップの前段階にて、複数のふとんかご１５が用意される。そして、図１２（ｂ）に示すように、当該第１かご設置ステップでは、ふとんかご１５を初期捨石積層部位７上で、岸沖方向に沿って２列互いに接触するように配置すると共に岸側のふとんかご１５上にふとんかご１５を積層して、且つ捨石構造物１の延設方向に沿って互いに接触するように配置する。このとき、初期積層部位７の岸側法面と、鉛直方向１段目の沖側のふとんかご１５の角部と、鉛直方向２段目のふとんかご１５の角部とを結ぶ面が、捨石構造物１の完成断面形状に係る沖側法面に一致するようにする。
【００４６】
次に、捨石積層ステップを実施する。図１２（ｃ）に示すように、当該捨石積層ステップでは、鉛直方向１段目のふとんかご１５の上端付近まで、鉛直方向１段目の岸側のふとんかご１５の岸側の面に接触するように捨石を積層する。このとき、捨石積層部位１２の岸側法面は、捨石構造物１の完成断面形状に係る岸側法面と略平行に築造される。
次に、第２かご設置ステップを実施する。図１２（ｄ）に示すように、当該第２かご設置ステップでは、捨石積層ステップにて積層した捨石積層部位１２上に、鉛直方向２段目のふとんかご１５に接触するようにふとんかご１５を鉛直方向に沿って２段積層する。
次に、捨石積層ステップと第２かご設置ステップとを繰り返し実施することで、図１２（ｅ）に示すように、最終的に捨石構造物１を築造する。なお、最後の第２かご設置ステップでは、ふとんかご１５が、沖側及び岸側のふとんかご１５上にそれらを跨るように配置される。また、捨石積層ステップを繰り返すことで、捨石構造物１の完成断面形状に係る、天端面及び岸側法面に徐々に近づくように、各ふとんかご１５の岸側に捨石を積層して、最後の捨石積層ステップにおいて、捨石構造物１の完成断面形状に係る、天端面、沖側法面及び岸側法面に一致するように捨石を積層する。
【００４７】
次に、第７の実施形態に係る壁部２ｇを図１３に基づいて説明する。第７の実施形態に係る壁部２ｇは、捨石構造物１内の岸側法面に沿って、且つ捨石構造物１の延設方向に沿って配置されている。第７の実施形態に係る壁部２ｇは、第６の実施形態に係る壁部２ｆにおけるふとんかご１５の積層構造と同等であり、ここでの説明を省略する。
なお、第７の実施形態に係る壁部２ｇを採用した捨石構造物１の築造方法は、図１３に示されており、第６の実施形態に係る壁部２ｆを採用した際の築造方法と同等であるために、ここでの説明を省略する。
第７の実施形態に係る壁部２ｇが採用された捨石構造物１においては、通常、捨石構造物１の岸側法面には防砂シート（図示略）が展張され、その上に埋立材が投入される。したがって、当該捨石構造物１の沖側法面は捨石を積層するが、岸側法面は捨石を積層せずに各ふとんかご１５が露出した状態で、各ふとんかご１５を覆い被せるように防砂シートを展張させることも可能である。
【００４８】
以上説明した、第５〜第７の実施形態に係る壁部２ｅ〜２ｇを採用した捨石構造物１についても、第１の実施形態に係る壁部２ａを採用した捨石構造物１と同様の作用効果を奏することができる。
また、第５〜第７の実施形態に係る壁部２ｅ〜２ｇを採用した捨石構造物１における築造方法では、初期捨石積層ステップ及び捨石積層ステップにおいて、捨石構造物１の完成断面形状の沖側法面及び岸側法面に一致させることなく、これら沖側法面及び岸側法面に徐々に近づくようにして捨石を積層するので、施工途中に高波浪を受けて、積層した捨石による捨石構造物１の断面形状が変形したとしても、捨石構造物の完成断面形状より外方への捨石の流出を極力抑えることができ、復旧作業の軽減、材料の損失等、工事上の不利益を抑止することが可能となる。
【００４９】
さらに、第５〜第７の実施形態に係る壁部２ｅ〜２ｇを採用した捨石構造物１における築造方法では、施工中、常に、第２かご設置ステップにより積層された最も上位のふとんかご１５の上端面よりも低い位置に、捨石積層ステップにて積層された捨石積層部位１２の上端面が位置するようになり、壁部２ｅ〜２ｇによる捨石の沖側から岸側への流動抑制作用を確実に奏することができる。
【００５０】
次に、第８の実施形態に係る壁部２ｈを図１４に基づいて説明する。第８の実施形態に係る壁部２ｈは、捨石構造物１内の岸沖方向略中央部位に鉛直方向に延び、且つ捨石構造物１の延設方向に沿って配置されている。第８の実施形態に係る壁部２ｈは、第２の実施形態に係る壁部２ｂで採用したふとんかご１５を鉛直方向に沿って複数段積層すると共に、下端から奇数段のみに岸沖方向に沿って複数列配置して、且つ捨石構造物１の延設方向に沿って複数配置して構成されている。
【００５１】
次に、上述した第８の実施形態に係る壁部２ｈを採用した捨石構造物１の築造方法を、図１４に基づいて説明する。
まず、初期捨石積層ステップを実施する。図１４（ａ）に示すように、当該初期捨石積層ステップは、第５の実施形態に係る壁部２ｅを採用した築造方法における初期捨石積層ステップと同等であるので、ここでの説明を省略する。
次に、かご設置ステップを実施する。当該かご設置ステップの前段階にて、複数のふとんかご１５が用意される。そして、図１４（ｂ）に示すように、当該第１かご設置ステップでは、ふとんかご１５を初期捨石積層部位７上に、岸沖方向に沿って互いに接触させながら２列配置すると共にこれらふとんかご１５、１５上にこれらを跨るようにふとんかご１５を積層して、且つ捨石構造物１の延設方向に沿って互いに接触するように配置する。
【００５２】
次に、捨石積層ステップを実施する。図１４（ｃ）に示すように、当該捨石積層ステップでは、最も上位のふとんかご１５の上端付近まで全ふとんかご１５の周りに捨石を積層する。このとき、捨石積層部位１２の沖側法面及び岸側法面は、捨石構造物１の完成断面形状に係る沖側法面及び岸側法面に一致せず、初期積層部位７の沖側法面及び岸側法面と略平行に築造される。
次に、かご設置ステップと捨石積層ステップとを繰り返し実施することで、図１４（ｄ）及び（ｅ）に示すように、最終的に捨石構造物１を築造する。なお、捨石積層ステップを繰り返すことで、捨石構造物１の完成断面形状に係る、天端面、沖側法面及び岸側法面に徐々に近づくように、各ふとんかご１５の周りに捨石を積層して、最後の捨石積層ステップにおいて、捨石構造物１の完成断面形状に係る、天端面、沖側法面及び岸側法面に一致するように捨石を積層する。
【００５３】
次に、第９の実施形態に係る壁部２ｉを図１５に基づいて説明する。第９の実施形態に係る壁部２ｉは、捨石構造物１内の沖側法面に沿って、且つ捨石構造物１の延設方向に沿って配置されている。第９の実施形態に係る壁部２ｉは、第８の実施形態に係る壁部２ｈにおけるふとんかご１５の積層構造と同等であり、ここでの説明を省略する。
【００５４】
次に、上述した第９の実施形態に係る壁部２ｉを採用した捨石構造物１の築造方法を、図１５に基づいて説明する。
まず、初期捨石積層ステップを実施する。図１５（ａ）に示すように、当該初期捨石積層ステップは、第６の実施形態に係る壁部２ｆを採用した築造方法における初期捨石積層ステップと同等であるので、ここでの説明を省略する。
【００５５】
次に、かご設置ステップを実施する。当該かご設置ステップの前段階にて、複数のふとんかご１５が用意される。そして、図１５（ｂ）に示すように、当該かご設置ステップでは、ふとんかご１５を初期捨石積層部位７上で、岸沖方向に沿って２列互いに接触するように配置すると共にこれらふとんかご１５、１５上にこれらを跨るようにふとんかご１５を積層して、且つ捨石構造物１の延設方向に沿って互いに接触するように配置する。このとき、初期積層部位７の岸側法面と、最も上位のふとんかご１５の角部とを結ぶ面が、捨石構造物１の完成断面形状に係る沖側法面に一致するようにする。
【００５６】
次に、捨石積層ステップを実施する。図１５（ｃ）に示すように、当該捨石積層ステップでは、最も上位のふとんかご１５の上端付近まで、各ふとんかご１５の岸側の面に接触するように捨石を積層する。このとき、捨石積層部位１２の岸側法面は、捨石構造物１の完成断面形状に係る岸側法面と略平行に築造される。
次に、かご設置ステップと捨石積層ステップとを繰り返し実施することで、図１５（ｄ）及び（ｅ）に示すように、最終的に捨石構造物１を築造する。また、捨石積層ステップを繰り返すことで、捨石構造物１の完成断面形状に係る、天端面及び岸側法面に徐々に近づくように、各ふとんかご１５の岸側に捨石を積層して、最後の捨石積層ステップにおいて、捨石構造物１の完成断面形状に係る、天端面、沖側法面及び岸側法面に一致するように捨石を積層する。
【００５７】
次に、第１０の実施形態に係る壁部２ｊを図１６に基づいて説明する。第１０の実施形態に係る壁部２ｊは、捨石構造物１内の岸側法面に沿って、且つ捨石構造物１の延設方向に沿って配置されている。第１０の実施形態に係る壁部２ｊは、第９の実施形態に係る壁部２ｉにおけるふとんかご１５の積層構造と同等であり、ここでの説明を省略する。
なお、第１０の実施形態に係る壁部２ｊを採用した捨石構造物１の築造方法は、図１６に示されており、第９の実施形態に係る壁部２ｉを採用した際の築造方法と同等であるために、ここでの説明を省略する。
第１０の実施形態に係る壁部２ｊが採用された捨石構造物１においても、第７の実施形態に係る壁部２ｇが採用された捨石構造物１と同等に、捨石構造物１の沖側法面は捨石を積層するが、岸側法面は捨石を積層せずに、各ふとんかご１５が露出した状態で、各ふとんかご１５を覆い被せるように防砂シートを展張させることも可能である。
【００５８】
以上説明した、第８〜第１０の実施形態に係る壁部２ｈ〜２ｊを採用した捨石構造物１についても、第１の実施形態に係る壁部２ａを採用した捨石構造物１と同様の作用効果を奏することができる。
また、第８〜第１０の実施形態に係る壁部２ｈ〜２ｊを採用した捨石構造物１における築造方法においても、初期捨石積層ステップ及び捨石積層ステップにおいて、捨石構造物１の完成断面形状の沖側法面及び岸側法面に一致させることなく、これら沖側法面及び岸側法面に徐々に近づくようにして捨石を積層するので、施工途中に高波浪を受けて、積層した捨石による捨石構造物１の断面形状が変形したとしても、捨石構造物の完成断面形状より外方への捨石の流出を極力抑えることができ、復旧作業の軽減、材料の損失等、工事上の不利益を抑止することが可能となる。
【００５９】
さらに、第８〜第１０の実施形態に係る壁部２ｈ〜２ｊを採用した捨石構造物１における築造方法では、施工中、常に、かご設置ステップにより積層された最も上位のふとんかご１５の上端面と、捨石積層ステップにて積層された捨石積層部位１２の上端面とが同一平面上に位置するようになり、壁部２ｈ〜２ｊによる捨石の沖側から岸側への流動抑制作用を最低限奏することができる。
さらに、第８〜第１０の実施形態に係る壁部２ｈ〜２ｊは、第５〜第７の実施形態に係る壁部２ｅ〜２ｇよりもふとんかご１５の数量が少ないので施工性が向上する。
【００６０】
なお、一般に、図１７に示すように、埋立地の外郭をなす捨石構造物１、１は、二辺が交差して隅角部３０が形成される。そこで、この捨石構造物１、１の隅角部３０においては、捨石構造物１内に設置される壁部２ａ〜２ｊも交差して連続するように配置される。
【００６１】
ところで、上述した第２、第３、第５〜第１０実施形態に係る壁部２ｂ、２ｃ、２ｅ〜２ｊには、捨石を中詰したふとんかご１５を採用しているが、ふとんかご１５に代わって、柔軟性を有する網状の袋体に捨石を中詰して構成された、いわゆるフィルタユニットを採用してもよい。
【符号の説明】
【００６２】
１  捨石構造物，２ａ〜２ｊ  壁部，５  網体，８  アンカー，９  主フロート，１５  ふとんかご，２０  支持部，１００  捨石護岸，２００  捨石堤
【図１】
2018131891.tif 000003
【図２】
2018131891.tif 000004
【図３】
2018131891.tif 000005
【図４】
2018131891.tif 000006
【図５】
2018131891.tif 000007
【図６】
2018131891.tif 000008
【図７】
2018131891.tif 000009
【図８】
2018131891.tif 000010
【図９】
2018131891.tif 000011
【図１０】
2018131891.tif 000012
【図１１】
2018131891.tif 000013
【図１２】
2018131891.tif 000014
【図１３】
2018131891.tif 000015
【図１４】
2018131891.tif 000016
【図１５】
2018131891.tif 000017
【図１６】
2018131891.tif 000018
【図１７】
2018131891.tif 000019